(57)【要約】【課題】本発明は、端末による電力消費を抑えつつ、また、端末利用者に手間をかけさせること無く、ディスク型記録媒体の駆動により発生する雑音が端末利用者や通話相手に聞こえてしまうことを効果的に防止することができる携帯端末装置を提供することを目的とする。【解決手段】本発明の携帯端末装置は、ディスク記録媒体１２を駆動し、該ディスク記録媒体１２にデータを書込みまたは該ディスク記録媒体１２からデータを読み出しを行うデータ書込読出部１３と、前記ディスク記録媒体１２の駆動により発生する雑音を抑制するノイズキャンセル部３と、を備える携帯端末装置であって、前記ディスク記録媒体１２へデータの書込みまたは読出し処理が行われていることを検出する書込読出監視部２０と、前記書込読出監視部２０により検出したとき、前記ノイズキャンセル部３を起動させるノイズキャンセル動作切替部２１と、を備えるものである。【選択図】図１
2007074135.tif 000002
【特許請求の範囲】
【請求項１】
ディスク記録媒体を駆動し、該ディスク記録媒体にデータを書込みまたは該ディスク記録媒体からデータを読み出しを行うデータ書込読出部と、前記ディスク記録媒体の駆動により発生する雑音を抑制するノイズキャンセル部と、を備える携帯端末装置であって、
前記ディスク記録媒体が駆動していることを検出する書込読出監視部と、
前記書込読出監視部により検出したとき、前記ノイズキャンセル部を起動させるノイズキャンセル動作切替部と、
を備える携帯端末装置。
【請求項２】
請求項１記載の携帯端末装置であって、
音声による通話を行う音声通話部を備え、
前記ノイズキャンセル動作切替部は、前記音声通話部による通話時に、前記ノイズキャンセル部を起動させる、
携帯端末装置。
【請求項３】
請求項２記載の携帯端末装置であって、
音を収音するマイクを備え、
前記音声通話部は、前記マイクにより収音した音声により通話を行い、
前記ノイズキャンセル部は、前記マイクにより収音した音に含まれる前記雑音を抑制する、
携帯端末装置。
【請求項４】
請求項３記載の携帯端末装置であって、
前記音声通話部による通話が、前記マイクによる通話か、当該携帯端末装置に接続可能な外部マイクによる通話か、を判定する通話形態判定部を備え、
前記ノイズキャンセル動作切替部は、前記通話形態判定部が前記マイクによる通話であると判定したとき、前記ノイズキャンセル部を起動させる、
携帯端末装置。
【請求項５】
請求項１から４のいずれか１項に記載の携帯端末装置であって、
前記書込読出監視部は、前記ディスク記録媒体へデータの一連の書込みまたは読出し処理が行われていることを検出する、
携帯端末装置。
【発明の詳細な説明】
【技術分野】
【０００１】
本発明は、情報の書込みおよび読出しが行えるディスク型記録媒体を有する携帯端末装置に関する。
【背景技術】
【０００２】
従来から、ハードディスク装置を搭載した携帯電話端末が提供されている。この携帯電話端末では、音楽を聴いたり、テレビ映像を見たりすることができるところから、テレビ映像や、カメラで撮影した写真の映像などを多く保存したり、インターネットを介して入手した様々なデータを保存したりする用途などにも、利用が広がってきている。
【０００３】
一方、この携帯電話端末に搭載されたハードディスク装置は、ハードディスクの駆動により外部へ耳障りな雑音（ノイズ）を発生する。このため、このハードディスクの駆動中に通話を行おうとすると、端末利用者に雑音が聞こえたり、前記騒音が通話用のマイクを通じて通話相手にも送信されることによって、通話者に聞き取り難い通話を強いることがある。
【０００４】
これに対し、ハードディスク装置が発生する雑音が通話を妨げるのを防止するために、通話回路中にノイズキャンセル回路を設けて、通話時にノイズキャンセル回路を起動させることにより、通話品質を改善するものが提案されている（例えば、非特許文献１、２参照）。
【０００５】
この携帯電話端末は、端末による通話を開始すると端末利用者が手動操作を行って、ノイズキャンセル回路をオン状態（起動状態）に切り替えることにより、ディスクドライブが発生する雑音が、端末利用者に聞こえてしまうことを防止することができる。
【０００６】
【非特許文献１】ＮＴＴ  ＤｏＣｏＭｏ  ＦＯＭＡ  ９０１ｉシリーズ  Ｐ９０１ｉ  取扱説明書  ５９頁  項目＜ノイズキャンセラ＞、オンラインマニュアル<URL:http://www.nttdocomo.co.jp/support/manual/online/index.html>（平成１７年８月２６日検索）
【非特許文献２】ＮＴＴ  ＤｏＣｏＭｏ  ｍｏｖａ  ２５３ｉシリーズ  Ｐ２５３ｉ  取扱説明書  ５０頁  項目＜ノイズキャンセラ＞、オンラインマニュアル<URL:http://www.nttdocomo.co.jp/support/manual/online/index.html>（平成１７年８月２６日検索）
【発明の開示】
【発明が解決しようとする課題】
【０００７】
しかしながら、従来の携帯電話端末にあっては、ノイズキャンセル回路を常時起動させておくか、あるいは、通話の発着信の度にノイズキャンセル回路を起動させるための入力操作を端末利用者がしなければ、通話時にノイズキャンセル機能が働かなかった。ノイズキャンセル装置を常時起動状態にしておけば、必ずノイズキャンセル機能を働かせることができるものの、ノイズキャンセル回路による電力消費の増大を伴ってしまうことになり、また、発着信の度にノイズキャンセル回路を起動させるための入力操作を行うことは端末利用者に手間をかけさせてしまう。
【０００８】
本発明は、上記事情に鑑みてなされたもので、端末による電力消費を抑えつつ、また、端末利用者に手間をかけさせること無く、ディスク型記録媒体の駆動により発生する雑音が端末利用者や通話相手に聞こえてしまうことを効果的に防止することができる携帯端末装置を提供することを目的とする。
【課題を解決するための手段】
【０００９】
本発明の携帯端末装置は、ディスク記録媒体を駆動し、該ディスク記録媒体にデータを書込みまたは該ディスク記録媒体からデータを読み出しを行うデータ書込読出部と、前記ディスク記録媒体の駆動により発生する雑音を抑制するノイズキャンセル部と、を備える携帯端末装置であって、前記ディスク記録媒体が駆動していることを検出する書込読出監視部と、前記書込読出監視部により検出したとき、前記ノイズキャンセル部を起動させるノイズキャンセル動作切替部と、を備えるものである。
【００１０】
この構成により、データの書込みや読出し時に、自動的にノイズキャンセル機能が働かせることにより、ディスク記録媒体の駆動により発生する雑音が、装置利用者に聞こえてしまうことを防止することができる。
【００１１】
また、本発明の携帯端末装置は、音声による通話を行う音声通話部を備え、前記ノイズキャンセル動作切替部は、前記音声通話部による通話時に、前記ノイズキャンセル部を起動させる、ものを含む。
【００１２】
この構成により、装置と装置利用者との距離が最も短くなる音声通話時に、すなわちディスクドライブにより発生する雑音が利用者に最も聞こえ易いときに、その雑音を抑制することができ、雑音が装置利用者に聞こえてしまうことを効果的に防止することができる。
【００１３】
本発明の携帯端末装置は、音を収音するマイクを備え、前記音声通話部が、前記マイクにより収音した音声により通話を行い、前記ノイズキャンセル部が、前記マイクにより収音した音に含まれる前記雑音を抑制する、ものを含む。
【００１４】
この構成により、前記ディスク記録媒体の駆動により発生する雑音が、通話中にマイクに収音されても、その雑音を抑制することができる。従って、雑音が通話音声に混じって、通話相手の耳に聞き取り難い音声として聴取されることを防止することができる。
【００１５】
また、本発明の携帯端末装置は、前記音声通話部による通話が、前記マイクによる通話か、当該携帯端末装置に接続可能な外部マイクによる通話か、を判定する通話形態判定部を備え、前記ノイズキャンセル動作切替部が、前記通話形態判定部が前記マイクによる通話であると判定したとき、前記ノイズキャンセル部を起動させる、ものを含む。
【００１６】
この構成により、前記ディスク記録媒体の駆動により発生する雑音が、通話中にマイクに収音される可能性のある通話形態時のみに、ノイズキャンセル処理が機能するようにすることにより、これ以外の通話形態での使用時においては、携帯端末装置に内蔵のバッテリの消耗を軽減することができる。
【００１７】
また、本発明の携帯端末装置は、前記書込読出監視部が、前記ディスク記録媒体へデータの一連の書込みまたは読出し処理が行われていることを検出する、ものを含む。
【００１８】
この構成により、ノイズキャンセル部のオン／オフ動作の切替頻度を最小限に抑えつつ、ディスク記録媒体の駆動により発生する雑音が、通話音声や記録中の書込み情報に混じるのを防止することができる。
【発明の効果】
【００１９】
本発明の携帯端末装置によれば、端末による電力消費を抑えつつ、また、端末利用者に手間をかけさせること無く、ディスク型記録媒体の駆動により発生する雑音が端末利用者や通話相手に聞こえてしまうことを効果的に防止することができる。
【発明を実施するための最良の形態】
【００２０】
以下、本発明の実施形態の携帯電話端末について、図面を用いて説明する。
【００２１】
(第１の実施形態）
本発明の第１の実施形態の携帯電話端末を、図１に示す。
図１において、この携帯電話端末は、ディスク記録媒体１２およびデータ書込読出部１３を持つディスクドライブ１と、書込読出監視部２０、ノイズキャンセル動作切替部２１および制御部２２を持つＣＰＵ２と、ノイズキャンセル部３と、マイク４と、を備える。
【００２２】
この携帯電話端末では、書込読出監視部２０がディスク記録媒体の書込みや読出しを検出したとき、自動的にノイズキャンセル動作切替部２１によってノイズキャンセル部３を動作状態に切り替え、ディスクドライブ１が発生する雑音が、通話音に侵入したり、データ書込読出部１３を通じてディスク記録媒体１２に記録されたりするのを防止する。
【００２３】
携帯電話端末において、ディスク記録媒体１２には、モータによって回転駆動され、音声、映像、データなどの書込み、読出しが可能なハードディスク、ＤＶＤ‐ＲＷ、ＣＤ‐ＲＷ等がある。
【００２４】
データ書込読出部１３は、ディスク記録媒体１２に情報を書込み、またはディスク記録媒体１２から情報を読み出すように機能する。
【００２５】
書込読出監視部２０は、ディスク記録媒体に対してデータの書込みや読出しが行われるか否かを、常時、自動的に監視するように機能する。書込読出監視部２０が監視する対象としては、制御部２２からデータ書込読出部１３に制御信号として出力されるデータ書込読出指示信号や、制御部２２からディスク記録媒体１２に制御信号として出力されるディスク回転指示信号などが挙げられ、書込読出監視部２０はこれらの制御信号を検出したときに、データ書込読出部１３による書込み処理、読出し処理が行われていると判断する。また、書込読出監視部２０は、制御信号の監視に限るものではなく、携帯電話端末内部に設けたセンサ（図示せず）によりディスク記録媒体１２が回転し始めたことを検出したときに、データ書込読出部１３による書込み処理、読出し処理が行われていると判断するようにしても良い。
【００２６】
ノイズキャンセル動作切替部２１は、書込読出監視部２０がディスクドライブ１におけるデータの書込みや読み出しを検出したとき、ノイズキャンセル部３を起動状態（オフからオン）に切替えるように機能する。
【００２７】
ここで、前記雑音は、ディスク記録媒体１２の駆動部（図示しない）を駆動するときに発生する耳障りなノイズのことである。なお、この雑音は、ディスク記録媒体１２の起動当初に、特に高レベルであるとされている。
【００２８】
また、ノイズキャンセル部３としては、マイク４によって収音された前記雑音をもとに、擬似雑音信号を生成し、これらをミキシングして雑音をキャンセルするものなどが用いられる。
【００２９】
ＣＰＵ２は、図１に示す各構成部の動作の制御や演算処理を実行するものであり、本実施形態においては、特に、書込読出監視部２０と、ノイズキャンセル動作切替部２１と、制御部２２とを備えている。
【００３０】
以上のように構成された携帯電話端末の動作は、次の通りである。
この携帯電話端末では、携帯電話端末の使用時において、ディスクドライブ１において、ディスク記録媒体に対するデータの書込みや読み出しが行われている場合には、書込読出監視部２０がこれを自動検出し、ノイズキャンセル動作切替部２１に動作切替指示を出す。
【００３１】
この動作切替指示により、ノイズキャンセル動作切替部２１はノイズキャンセル部３を動作状態をオンに切り替え、ディスクドライブ１が発生する雑音をノイズキャンセル部３によりキャンセルさせることにより、ディスクドライブ１が発生する雑音が、直接端末利用者の耳に入ることを防止することができる。
【００３２】
（第２の実施形態）
本発明の第２の実施形態の携帯電話端末を、図２に示す。なお、図１に示したものと同一の構成部分には同一符号を付して、その重複する説明を省略する。
【００３３】
図２において、携帯電話端末には、通話用のマイク４とスピーカ５が設けられ、マイク４は前記ノイズキャンセル部３を介して音声通話部６に接続されている。なお、スピーカ５は音声通話部６に直接接続されている。この音声通話部６は無線部７に接続されている。
【００３４】
前記音声通話部６は、携帯電話端末本体に取り付けられた前記スピーカ５とマイク４を使用して、通話相手と通話を行えるようにするものであり、Ａ／Ｄ変換部６１と、エンコーダ／デコーダ６２と、変／復調部６３とを有している。
【００３５】
この音声通話部６は、マイク４からの音声データをＡ／Ｄ変換部でデジタル信号に変換し、エンコーダ／デコーダ６２で符号化し、変復調部６３で変調を加えて無線部７へ出力し、一方、無線部からの通話データを変復調部６３で復調し、エンコーダ／デコーダ６２で復号し、Ａ／Ｄ変換部６１でアナログ信号に変換して、スピーカ５へ出力するように、それぞれ機能する。
【００３６】
無線部は、マイク４から送出された通話用の音声データを、音声通話部６を介し通話相手に無線送信し、一方通話相手からの音声データを受信して、音声通話部６を介しスピーカへ送るように機能する。
【００３７】
また、ノイズキャンセル部３は、音声通話部６とマイク４との間に接続されており、マイク４によって収音される通話音声から、その通話音声に混じって収音されるディスクドライブ１の雑音を低減または取り除いて、音声通話部６に入力するように機能する。通話音声の周波数帯とディスクドライブを発生源とする雑音の周波数とが異なることから、ノイズキャンセル部３は、フィルタ装置または信号処理によるフィルタ機能を利用して、特定の周波数帯にある雑音をカットする。
【００３８】
以上のように構成された携帯電話端末について、図３のフローチャートを用いて、その動作を説明する。
【００３９】
まず、ＣＰＵ２は、ユーザの携帯電話端末から発信（発呼）が行われたか否か、または携帯電話端末に着信があったか否かを調べる（ステップＳ１）。発信または着信があった場合には、書込読出監視部２０は、ディスク記録媒体１２が駆動されて、データ書込読出部１３によってディスク記録媒体１２に対する情報の書込みや読出しが行われているか否かを判定する（ステップＳ２）。
【００４０】
ディスク記録媒体１２が駆動中であると判定された場合には、ノイズキャンセル動作切替部２１はノイズキャンセル部３をオン動作させる（ステップＳ３）。そこで、通話を開始する（ステップＳ４）。このとき、ディスク記録媒体１２の駆動によって発生する雑音がマイク４を通じて、音声通話部６に侵入するのを防止（低減）することができ、ユーザは雑音に影響されない明瞭な音声を通話相手に送ることができる。
【００４１】
一方、この通話中に、ディスク記録媒体１２の駆動の終了が指示されたか否かを調べ（ステップＳ５）、終了が指示されたことを検出した場合には、ディスク記録媒体１２の駆動を終了し（ステップＳ６）、ノイズキャンセル動作切替部２１はノイズキャンセル部３をオン動作からオフに切り替える（ステップＳ７）。
【００４２】
また、ノイズキャンセル部３がオンからオフになった場合、またはステップＳ５でディスク記録媒体１２の駆動が未だ終了していないと判定された場合には、続いて再び、ディスク記録媒体１２の駆動開始の要求があるか否かを判定する（ステップＳ８）。駆動開始の要求がない場合には、通話が終了したか否かを調べ（ステップＳ９）、通話が終了した場合には、ノイズキャンセル動作切替部２１がノイズキャンセル部３をオン動作からオフに切り替えて（ステップＳ１０）、通話を終了する。
【００４３】
一方、ステップＳ８で、ディスク記録媒体１２の駆動開始の要求、つまり情報の書込みまたは読出しの要求が発生した場合には、再びノイズキャンセル動作切替部２１はノイズキャンセル部３をオン動作させ（ステップＳ１１）、ディスク記録媒体１２の駆動を開始させる（ステップＳ１２）。こうして、通話の終了を待ち、通話が終了した場合には（ステップＳ９）、ノイズキャンセル動作をオフにして（ステップＳ１０）、通話処理を終了する。
【００４４】
このように、通話要求が発生したとき、既にデータ書出読出部１３がディスク記録媒体１２を駆動している場合には、通話開始前に前記駆動を確認し、ノイズキャンセル部３をオン動作させる。一方、通話中にディスク記録媒体１２への書込み要求が発生した場合には、データ書込読出部１３を動作させる前にノイズキャンセル部３をオン動作させる。こうして、ディスク記録媒体１２が駆動されることによって発生するノイズが、通話音声に混入するのを防止することができ、通話相手の耳に聞き取り難い音声として聴取されることを防止することができる。
【００４５】
また、ディスク記録媒体１２への書込み処理やディスク記録媒体１２からの読出し処理は頻繁に発生する場合があるため、ノイズキャンセル部３のオン、オフ切替も頻繁に行われる。そこで、アプリケーションの起動から終了までの間（すなわち、一連の書込み処理や読出し処理がディスク記録媒体１２に対して行われる期間）ではノイズキャンセル部３をオン動作させ、それ以外の期間をオフとする。これにより、ノイズキャンセル部３の切替頻度を最小限に抑えつつ、雑音が通話音声に混入するのを防止することができる。
【００４６】
(第３の実施形態）
図４は、本発明の第３の実施形態による携帯電話端末を示すブロック図である。この第３の実施形態では、第２の実施形態の携帯電話端末に、通話形態判定部８を追加設置したものである。
【００４７】
ハンズフリー通話手段やイヤホンマイク通信手段を備える携帯電話端末では、携帯電話端末本体を手で持ち、耳に近づけながら通話をする必要がない。この場合には、通話形態判定部８により、携帯電話端末本体のマイク・レシーバを使用しての通話であるか、ハンズフリーでの通話か、イヤホンマイクでの通話かを判別する。そして、通話が携帯電話端末のマイク・レシーバを使用しての通話の場合のみ、前記ノイズキャンセル処理を実施するようにする。通話形態判定部８による判別方法としては、ハンズフリーモードにするための操作がなされたか否かにより判別したり、イヤホンマイクが所定の差込口に差し込まれているか否かにより判別したり、する方法が挙げられる。
【００４８】
ハンズフリー通話やイヤホンマイク通話では、ノイズキャンセル処理をする必要がない代わりに、これらの通話形態特有のノイズやエコーの除去が必要となる場合がある。この場合には、通話形態判定部８が判別した通話形態ごとに設けたノイズキャンセル手段やエコーキャンセル手段によって、前記ノイズやエコーを除去することができる。
【００４９】
なお、第１から第３の実施形態において、ディスク記録媒体１２に対する書込みや読出しをするデータのサイズを判定する手段を設け、大きいサイズのデータを扱う場合のみノイズキャンセル手段を動作させるなど、扱うデータの大きさによりノイズキャンセル動作を切り替えるようにしてもよい。
【００５０】
また、第２、第３の実施形態では、通話音声中への雑音の混入防止を例にして説明をしたが、音声を録音しているときに、この音声とともに雑音が録音されることを、ノイズキャンセル処理によって防止するようにすることもできる。
【産業上の利用可能性】
【００５１】
本発明の携帯電話端末は、端末による電力消費を抑えつつ、また、端末利用者に手間をかけさせること無く、ディスク型記録媒体の駆動により発生する雑音が端末利用者や通話相手に聞こえてしまうことを効果的に防止することができるという効果を奏し、情報の書込みおよび読出しを行うディスク記録媒体を持つ携帯電話端末等に有用である。
【図面の簡単な説明】
【００５２】
【図１】本発明の第１の実施形態における携帯電話端末のブロック図
【図２】本発明の第２の実施形態における携帯電話端末のブロック図
【図３】図２の携帯電話端末によるノイズキャンセル処理手順を示すフローチャート
【図４】本発明の第３の実施形態における携帯電話端末のブロック図
【符号の説明】
【００５３】
１  ディスクドライブ
２  ＣＰＵ
３  ノイズキャンセル部
４  マイク
５  スピーカ
６  音声通話部
７  無線部
８  通話形態判定部
１２  ディスク記録媒体
１３  データ書込読出部
２０  書込読出監視部
２１  ノイズキャンセル動作切替部
【図１】
2007074135.tif 000003
【図２】
2007074135.tif 000004
【図３】
2007074135.tif 000005
【図４】
2007074135.tif 000006